(57)【特許請求の範囲】
【請求項１】
前壁部、一対の側壁部、底壁部、後壁部を有して上部が開口された筐体状の薬剤ケースにおいて、後部に大収納部、前部に小収納部を形成するように仕切り板で仕切るように構成された薬剤ケースであって、
前記前壁部と前記小収納部との間に、前記前壁部に向かって下傾する傾斜壁部と前記傾斜壁部の側面に隣接して下方に延設する凹部とを備えて、薬剤の情報を伝達する表示部が配設されていることを特徴とする薬剤ケース。
【請求項２】
前記傾斜壁部の上面が、前記一対の側壁部の上面と略同一高さに形成されていることを特徴とする請求項１記載の薬剤ケース。
【請求項３】
前記一対の側壁部の上面前部が前方に向かって下傾して形成され、前記傾斜壁部の上面が、前記側壁部の上面より下方に形成されていることを特徴とする請求項１記載の薬剤ケース。
【発明の詳細な説明】
【技術分野】
【０００１】
本発明は、薬剤を包装した包装袋、主に錠剤を包装した錠剤ブリスターパック（以下、ブリスターパックという）を収納する薬剤ケースに関する。
【背景技術】
【０００２】
図８に示すように、薬剤ケース１０は、通常、調剤室内に設置された調剤台１の上部ユニット２に配置された複数段の棚板上にそれぞれ載置されている。それぞれの薬剤ケース１０は、合成樹脂で形成されてそれぞれ引き出し可能に配置されている。通常、薬剤ケースは、取り出しやすいように前部が開放されたオープンタイプと、埃の侵入を嫌うために上部を塞ぐように形成したクローズタイプとを有している。この薬剤ケース１０には、錠剤を密封して包装したブリスターパックが収納されている。ブリスターパックは、例えば、１個ずつ包装した錠剤を、縦横にミシン目を介して並列させて１枚の板状に形成したものや、１枚の板状のものからミシン目に沿って切り取られてバラ状にしたものがあり、それぞれ薬剤ケース１０内に収納されている。
【０００３】
例えば、錠剤ブリスターパックを収納する従来の薬剤ケースは、特許文献１により知られている。これによると、図９に示すように、薬剤ケース３０は前壁部３１、一対の側壁部３２、３３、後壁部３４、底壁部３５を有して上方が開口した筐体状に形成されている。底壁部３５の上方には、錠剤前後方向にブリスターパックを摺動案内する案内面３６を設け、案内面３６の前方にブリスターパックの端数を収納する端数収納部３７を上部が開放された状態で形成している。又、後壁部３４には、引き出したブリスターパックが棚板から落下しないように後壁部３４の上面より上方に突出したストッパー部３８が形成されている。
【先行技術文献】
【特許文献】
【０００４】
【特許文献１】特開平１１−９６６３号公報
【発明の概要】
【発明が解決しようとする課題】
【０００５】
しかし、従来の薬剤ケース３０には、前壁部３１に薬剤名が表示できるホルダーが備えられて、薬剤名を表示することはできるものの、その他の情報、例えばバラ状の薬剤があるかどうかとか、取り出す薬剤に間違いがないかどうかとか等、他の情報を表示する箇所を設けていなかった。そのため、薬剤ケース３０のいずれかの壁部に、メモ程度に書込んだ付箋をクリップ等で留めることによって他の情報を表示することにしていた。そのため、使用中に、付箋が床に落下したり、薬剤ケース３０内に入り込んだりして付箋が所定の薬剤ケース３０から外れると、所定の薬剤ケース３０に収納されている薬剤の各種の情報を伝達することができずに、間違った薬剤を取り出してしまう虞があった。
【課題を解決するための手段】
【０００６】
本発明は、上述の課題を解決するものであり、薬剤ケースに収納された薬剤に関する情報を確実に伝達して、間違った薬剤を取り出す虞のないように形成された薬剤ケースを提供することを目的とする。そのため、本発明に係る薬剤ケースは、以下のように構成するものである。すなわち、
請求項１に係る発明は、前壁部、一対の側壁部、底壁部、後壁部を有して上部が開口された筐体状の薬剤ケースにおいて、後部に大収納部、前部に小収納部を形成するように仕切り板で仕切るように構成された薬剤ケースであって、前記前壁部と前記小収納部との間に、前記前壁部に向かって下傾する傾斜壁部と前記傾斜壁部の側面に隣接して下方に延設する凹部とを備えて、薬剤の情報を伝達する表示部が配設されていることを特徴とするものである。
【０００９】
請求項２に係る発明は、請求項１に係るものであって、前記傾斜壁部の上面が、前記一対の側壁部の上面と略同一高さに形成されていることを特徴としている。
【００１０】
請求項３に係る発明は、請求項１に係るものであって、前記一対の側壁部の上面前部が前方に向かって下傾して形成され、前記傾斜壁部の上面が、前記側壁部の上面より下方に形成されていることを特徴としている。
【発明の効果】
【００１１】
本発明によれば、前壁部と小収納部との間に、薬剤の情報を伝達する表示部を配設したことから、シールを貼り付ける表示壁として使用することができる。貼り付けられたシールに各種の注意事項を記載することにより、この薬剤ケースに収納されている薬剤に関する様々な情報を伝達することができる。
【００１２】
本発明によれば、表示部が、上方位置から見ても見やすいように前壁部側に向かって下傾する傾斜壁部を形成したことから、シールを貼り付ける表示壁として使用することができ、貼り付けられたシールに各種の注意事項等を記載することにより、薬剤名以外の情報を伝達することができる。
【００１３】
本発明によれば、表示部が、傾斜壁部に隣接した位置に、下方に向かう凹部を形成しているから、カードを凹部内に挿入することによって薬剤の変動する情報、例えば、在庫があるかどうかの情報を伝達することができる。
【００１４】
本発明によれば、前記傾斜壁部の上面を、前記一対の側壁部の上面と略同一高さに形成することによって、請求項１の効果をクローズタイプの薬剤ケースに適用することができる。
【００１５】
本発明によれば、前記一対の側壁部の上面前部が前方に向かって下傾して形成され、前記傾斜壁部の上面が、前記側壁部の上面より下方に形成されていることによって、請求項１の効果をオープンタイプの薬剤ケースに適用することができる。
【図面の簡単な説明】
【００１６】
【図１】オープンタイプの薬剤ケースを示す斜視図である。
【図２】図１における側面断面図である。
【図３】図１における薬剤ケースの前部を示す拡大斜視図である。
【図４】図１における凹部を示す側面断面図である。
【図５】図１における傾斜壁部・凹部に表示シールを表示した状態を示す斜視図である。
【図６】クローズタイプの薬剤ケースを示す斜視図である。
【図７】図６における側面断面図である。
【図８】調剤台を示す斜視図である。
【図９】従来の薬剤ケースを示す斜視図である。
【発明を実施するための形態】
【００１７】
次に、本発明による薬剤ケースの実施形態を図面に基づいて説明する。
【００１８】
図１は、第１の実施形態としてオープンタイプの薬剤ケース１０Ａを示す斜視図であり、図２はその側面断面図である。図１〜２に示すように、薬剤ケース１０Ａは、透明の樹脂材、例えばポリスチレンで形成され、前壁部１１、一対の側壁部１２、１３、後壁部１４、底壁部１５を備えて上方が開口した筐体状に形成されている。底壁部１５は一対の側壁部１２、１３の下面位置より僅かに高い位置に配置されている。一対の側壁部１２、１３、後壁部１４及び後述のスライド案内部１８とで囲まれた部位に大収納部としての薬剤収納部１７を形成している。なお、以下の説明にあたっては、前壁部１１側を薬剤ケース１０Ａの前方、後壁部１４側を後方という。
【００１９】
前壁部１１の上面１１ａは一対の側壁部１２、１３より低位置に形成され、一対の側壁部１２、１３の上面１２ａ、１３ａにおける前壁部１１側は、低位置に形成された前壁部１１の上面１１ａ両端に向かって下方に傾斜して形成されている。
【００２０】
一方、薬剤収納部１７の前部において底壁部１５から連接して上方に向かって湾曲したスライド案内部１８が配置されている。前壁部１１とスライド案内部１８との間には、空間部を有して小収納部１９が配置され、小収納部１９の前方には、表示部２０が形成されている。つまり、大収納部としての薬剤収納部１７と、小収納部１９とはスライド案内部１８によって仕切られることになる。
【００２１】
図２〜４に示すように、表示部２０は、薬剤ケース１０Ａの幅方向に対して傾斜壁部２１と凹部２２とを隣接して配置している。傾斜壁部２１は、後面が垂直面であって、前面が下傾して形成されている。凹部２２は、前面側に立設する仕切り壁部２３と傾斜壁部２１の側面と、一方の側壁部１３とスライド案内部１８とで囲まれた空間部で形成されるとともに、凹部２２の底面２２ａは傾斜壁部２１の下部より下方の位置で、底壁部１５より高い位置に形成されている。なお、仕切り壁部２３の上面は傾斜壁部２１の傾斜面の下端部辺りかそれより下方の位置から下方に向かって形成されている。
【００２２】
前壁部１１と傾斜壁部２１および仕切り壁部２３との間には、細長の僅かなスペース２４が形成され、スペース２４は、例えば、図５に示すように、薬剤名を記載したカード３を挿入したカードケース４を収納可能に形成されている。
【００２３】
次に、上記のように形成された薬剤ケース１０Ａの使用状態について説明する。薬剤ケース１０Ａは、図８に示すような調剤台１に複数段に積み込まれてそれぞれ異なる薬剤が収納されている。それぞれの薬剤ケース１０Ａは引き出し可能に配置されて、それぞれの薬剤を取り出すことができる。それぞれの薬剤ケース１０Ａにおいては、薬剤収納部１７に、例えば、錠剤を入れたブリスターパック８が収納されている。薬剤収納部１７に収納されるブリスターパック８は、複数枚の板状に形成されたものであり、小収納部１９には、１枚の板状のブリスターパックからミシン目に沿って切り取られたバラ状のブリスターパック８Ａが収納されている。
【００２４】
上記のように構成された薬剤ケース１０Ａにおいて、薬剤名や、収納された薬剤に関する注意事項、あるいはその他の情報は、スペース２４を含めて表示部２０によって表示される。例えば、図５に示すように、１個の薬剤ケース１０Ａに収納されている薬剤に関し、薬剤名を記載したカード３は、カードケース４に挿入されて、スペース２４内に収納される。薬剤ケース１０Ａの前壁部１１は透明な樹脂材で形成されているから、薬剤名を確認することができる。
【００２５】
また、傾斜壁部２１には、その薬剤に関する注意事項、例えば「規格注意」や「類似薬あり」等を記載したシールカード５が貼り付けられる。傾斜壁部２１に「規格注意」の表示があれば、取り出す薬剤が、規格通りの薬剤かどうかの確認をすることができる。又、「類似薬あり」の表示があれば、間違い易い類似品を確認することによって必要な薬剤を注意して取り出すことができる。
【００２６】
さらに、凹部２２には、収納されている薬剤の個数の変化に対応した表示板を表示することができる。例えば、薬剤収納部１７に収納されている薬剤の在庫のありなしを表示する。この場合、１枚のカード６に「在庫あり」を表示して凹部２２内に挿入する。カード６の表示部を仕切り壁部２３上に現れるようにしてカードケース７を凹部２２内に挿入する。在庫がない場合には、カードケース７を逆様にして凹部２２内に挿入すると、「在庫あり」の表示は、スペース２４に挿入したカード３により凹部２２内に隠れることから、在庫なしと判断されることになる。
【００２７】
上述のように、実施形態の薬剤ケース１０Ａは、薬剤の入った板状のブリスターパック８が収納された薬剤収納部１７やバラ状のブリスターパック８Ａを収納する小収納部１９の前方に傾斜壁部２１及び凹部２２を有する表示部２０を形成したことから、収納されている薬剤に関して、薬剤名以外の情報を伝達することができて、必要な薬剤を確実に取り出すことができる。また、このオープンタイプの薬剤ケース１０Ａでは、薬剤を取りやすく、場合によっては、薬剤ケース１０Ａを引き出さずに薬剤を取り出すことも可能である。
【００２８】
なお、シールカード５又はカード６に記されている内容は、上記に限定するものではなく、必要な情報を適宜に記すことができる。
【００２９】
次に第２の実施形態としてクローズタイプの薬剤ケース１０Ｂについて、図６〜７に基づいて説明する。なお、第１の実施形態における薬剤ケース１０Ａと同一の部位については、前述と同様の符号を付記するものとする。
【００３０】
図６〜７に示すように、薬剤ケース１０Ｂは、透明の樹脂材、例えばポリスチレンで形成され、前壁部１１Ｂ、一対の側壁部１２Ｂ、１３Ｂ、後壁部１４、底壁部１５を備えて上方が開口した筐体状に形成されている。底壁部１５Ｂは、底面に形成された水平部１５１と前方に形成された仕切り板としての垂直部１５２とを備え、一対の側壁部１２Ｂ、１３Ｂ、後壁部１４及び底壁部１５Ｂで囲まれた部位に大収納部としての薬剤収納部１７Ｂを形成している。薬剤収納部１７Ｂには、所定数の錠剤が入った板状のブリスターパックが収納される。
【００３１】
前壁部１１Ｂは、上部前壁部１１１Ｂと下部前壁部１１２Ｂが形成され、上部前壁部１１１Ｂは、一対の側壁部１２Ｂ、１３Ｂの上部において一対の側壁部１２Ｂ、１３Ｂから前方に突出した位置にあり、前壁部１１Ｂの下面は、一対の側壁部１２Ｂ、１３Ｂの下面より上方の位置にある。また、前壁部１１Ｂの上面１１ｂは、一対の側壁部１２Ｂ、１３Ｂの上面に対して僅かに下方の位置にあり、一対の側壁部１２Ｂ、１３Ｂの前端部において、一対の側壁部１２Ｂ、１３Ｂから下傾した位置で前壁部１１Ｂの両端部と連接している。
【００３２】
下部前壁部１１２Ｂは、上部前壁部１１１Ｂの後方位置にあり、一対の側壁部１２Ｂ、１３Ｂの下部に連接している。
【００３３】
底壁部１５Ｂの水平部１５１は、一対の側壁部１２Ｂ、１３Ｂの下面位置より僅かに上方の位置に形成され、垂直部１５２は、下部前壁部１１２Ｂより僅かに後方の位置において、水平部１５１の前端部から立ち上がるように連接されている。
【００３４】
一方、上部前壁部１１１Ｂの後方には、スペース２４を挟んで表示部２０が形成されている。表示部２０は、第１の実施形態に対して上方の位置に配置されている違いがあるものの、第１の実施形態と同様の形状をした傾斜壁部２１と凹部２２とを備えている。また、薬剤ケース１０Ｂの前方上部において、表示部２０と底壁部１５Ｂの垂直部１５２の上部との間に小収納部１９Ｂが形成されている。つまり、薬剤収納部１７Ｂと小収納部１９Ｂとは、底壁部１５Ｂの垂直部１５２で仕切られることになる。
【００３５】
小収納部１９Ｂの底部１９ａは傾斜壁部２１の上端部から後方に向かって傾斜する傾斜面部１９１と、傾斜面部１９１に連接されるとともに下部前壁部１１２Ｂの上端面に連接して、底壁部１５Ｂの垂直部１５２の上部付近前面側に連接する水平面部１９２とを有して形成されている。小収納部１９Ｂには、１枚の板状のブリスターパックからミシン目に沿って切り取られたバラ状のブリスターパックが収納される。傾斜面部１９１は、バラ状のブリスターパックをスライドさせながら取り出せるように形成されている。
【００３６】
凹部２２は、前面側に立設する仕切り壁部２３と傾斜壁部２１の側面と、一方の側壁部１３Ｂと底壁部１５Ｂの垂直部１５２とで囲まれた空間部で形成されている。なお、仕切り壁部２３の上面は傾斜壁部２１の傾斜面の下面付近かそれより下方の位置から下方に向かって形成されている。
【００３７】
上記のように形成された薬剤ケース１０Ｂの使用状態は、第１の実施形態と同様に、薬剤名を記載したカード３はカードケース４に挿入されてスペース２４内に収納される。また、傾斜壁部２１には、注意事項を記載したシールカード５が貼り付けられ、凹部２２には「在庫あり」が記載されたカード６を挿入したカードケース７が挿入される。
【００３８】
なお、第２の実施形態においても、シールカード５又はカード６に記されている内容は、上記に限定するものではなく、必要な情報を適宜に記すことができる。
【符号の説明】
【００３９】
１０Ａ、１０Ｂ、薬剤ケース
１１、前壁部
１２、１３、側壁部
１４、後壁部
１５、底壁部
１７、薬剤収納部（大収納部）
１９、小収納部
２０、表示部
２１、傾斜壁部
２２、凹部
【図１】
0005508213.tif 000002
【図２】
0005508213.tif 000003
【図３】
0005508213.tif 000004
【図４】
0005508213.tif 000005
【図５】
0005508213.tif 000006
【図６】
0005508213.tif 000007
【図７】
0005508213.tif 000008
【図８】
0005508213.tif 000009
【図９】
0005508213.tif 000010